(57)【要約】【課題】テレビジョン受信装置の内部機材や外部接続機材に、本来の機能の他にアンテナとしての機能も兼ねさせ、テレビジョン受信装置の小型化・低価格化を図る。【解決手段】表示パネル部、シャーシ部、ベゼル部、スピーカ部、補強板、太陽電池パネル部、冷却ファンなどのテレビジョン受信装置の内部機材やキャリングハンドル部、スタンド部、壁掛け金具部、天吊り用ブラケット、外部スピーカなどの外部接続機材のいずれかに、アンテナパターンを形成するエレメントを備えさせることにより、該エレメントを備えた内部機材や外部接続機材をアンテナの全部又は一部として機能させる。また、例えば、液晶パネル部１２０１と受信部本体１２０３とを分離して構成する場合、それぞれのいずれかの構成機材部にアンテナパターンとなるエレメント２３，２４と２５，２６とを備えさせ、ダイバシティアンテナとして機能させることも可能である。【選択図】図１２
2005295135.tif 000002
【特許請求の範囲】
【請求項１】
テレビジョン信号を受信するテレビジョン受信装置において、映像を表示する表示パネルのシャーシ部にアンテナパターンを形成するエレメントを備えさせることにより、該シャーシ部がアンテナの全部又は一部として機能することを特徴とするテレビジョン受信装置。
【請求項２】
請求項１に記載のテレビジョン受信装置において、前記シャーシ部が非金属性の材料であることを特徴とするテレビジョン受信装置。
【請求項３】
テレビジョン信号を受信するテレビジョン受信装置において、当該テレビジョン受信装置を持ち運ぶためのキャリングハンドル部が備えられている場合、該キャリングハンドル部にアンテナパターンを形成するエレメントを備えさせることにより、該キャリングハンドル部がアンテナの全部又は一部として機能することを特徴とするテレビジョン受信装置。
【請求項４】
テレビジョン信号を受信するテレビジョン受信装置において、映像を表示する表示パネルの周辺部にベゼル部が形成されている場合、該ベゼル部にアンテナパターンを形成するエレメントを備えさせることにより、該ベゼル部がアンテナの全部又は一部として機能することを特徴とするテレビジョン受信装置。
【請求項５】
テレビジョン信号を受信するテレビジョン受信装置において、ロゴや機能説明用の記述がなされたシールを、貼付する筐体表面の位置にアンテナ用の電極板を備え、かつ、該シールにアンテナパターンを形成するエレメントを備えさせることにより、筐体表面の前記電極板上に貼付した該シールがアンテナの全部又は一部として機能することを特徴とするテレビジョン受信装置。
【請求項６】
テレビジョン信号を受信するテレビジョン受信装置において、当該テレビジョン受信装置本体を支えるスタンド部が備えられている場合、該スタンド部にアンテナパターンを形成するエレメントを備えさせることにより、該スタンド部がアンテナの全部又は一部として機能することを特徴とするテレビジョン受信装置。
【請求項７】
テレビジョン信号を受信するテレビジョン受信装置において、当該テレビジョン受信装置が壁掛け可能なテレビジョン受信装置である場合、壁掛け用の壁掛け金具部にアンテナパターンを形成するエレメントを備えさせることにより、該壁掛け金具部がアンテナの全部又は一部として機能することを特徴とするテレビジョン受信装置。
【請求項８】
テレビジョン信号を受信するテレビジョン受信装置において、当該テレビジョン受信装置が天吊り可能なテレビジョン受信装置である場合、天吊り用の天吊り金具部にアンテナパターンを形成するエレメントを備えさせることにより、該天吊り金具部がアンテナの全部又は一部として機能することを特徴とするテレビジョン受信装置。
【請求項９】
テレビジョン信号を受信するテレビジョン受信装置において、当該テレビジョン受信装置にスピーカが備えられている場合、該スピーカにアンテナパターンを形成するエレメントを備えさせることにより、該スピーカがアンテナの全部又は一部として機能することを特徴とするテレビジョン受信装置。
【請求項１０】
テレビジョン信号を受信するテレビジョン受信装置において、当該テレビジョン受信装置に備えられたスピーカにスピーカネット部が備えられている場合、該スピーカネット部にアンテナパターンを形成するエレメントを備えさせることにより、該スピーカネット部がアンテナの全部又は一部として機能することを特徴とするテレビジョン受信装置。
【請求項１１】
テレビジョン信号を受信するテレビジョン受信装置において、表示パネルにおける光の反射を防止する反射よけ部が備えられている場合、該反射よけ部にアンテナパターンを形成するエレメントを備えさせることにより、該反射よけ部がアンテナの全部又は一部として機能することを特徴とするテレビジョン受信装置。
【請求項１２】
テレビジョン信号を受信するテレビジョン受信装置において、受信部を冷却する冷却ファンが備えられている場合、該冷却ファンのプロペラ部にアンテナパターンを形成するエレメントを備えさせることにより、該冷却ファンがアンテナの全部又は一部として機能することを特徴とするテレビジョン受信装置。
【請求項１３】
請求項１２に記載のテレビジョン受信装置において、指定された回転速度に前記冷却ファンの回転速度を制御し、かつ、前記冷却ファンのプロペラ部に備えられた前記エレメントの回転角度を検出する回転制御部と、前記エレメントが受信した受信信号から、指定した選局周波数帯域の受信感度を測定する受信感度検出部とを備え、前記回転制御部にて検出された回転角度情報と前記受信感度検出部にて測定された前記エレメントの受信感度から、最大の受信感度となる前記エレメントの回転角度を検出して、アンテナの最適な向きを検出することを特徴とするテレビジョン受信装置。
【請求項１４】
請求項１３に記載のテレビジョン受信装置において、テレビ信号をメインに受信するメインアンテナが、前記冷却ファンのプロペラ部に備えられた前記エレメントとは別に備えられている場合、該メインアンテナが回転自在であり指定された向きにまで回転させることが可能に構成されており、最大の受信感度となる前記エレメントの回転角度を検出した際に、検出された前記エレメントの回転角度と同じ角度まで、該メインアンテナの向きを自動的に回転させることを特徴とするテレビジョン受信装置。
【請求項１５】
テレビジョン信号を受信するテレビジョン受信装置において、当該テレビジョン受信装置が、映像を表示する表示パネル部とテレビ信号を受信する受信部本体とに分離されて構成されている場合、該表示パネル部と該受信部本体とのそれぞれに独立してアンテナパターンを形成するエレメントを備えさせることにより、それぞれの該エレメントをダイバシティアンテナとして機能させることを特徴とするテレビジョン受信装置。
【請求項１６】
テレビジョン信号を受信するテレビジョン受信装置において、映像を表示する表示パネルの表面にアンテナパターンとして透明な導電性薄膜からなるエレメントを貼付することにより、該エレメントが貼付された該表示パネルがアンテナの全部又は一部として機能することを特徴とするテレビジョン受信装置。
【請求項１７】
テレビジョン信号を受信するテレビジョン受信装置において、当該テレビジョン受信装置の筐体の背面又は側面に接合して当該テレビジョン受信装置本体を支持する脚部が備えられている場合、該脚部との接合面を補強するための補強板にアンテナパターンを形成するエレメントを備えさせることにより、該補強板がアンテナの全部又は一部として機能することを特徴とするテレビジョン受信装置。
【請求項１８】
テレビジョン信号を受信するテレビジョン受信装置において、当該テレビジョン受信装置本体と分離されて複数のスピーカが設置されている場合、複数のスピーカそれぞれの全て又は一部に独立してアンテナパターンを形成するエレメントを備えさせることにより、それぞれの該エレメントをダイバシティアンテナとして機能させることを特徴とするテレビジョン受信装置。
【請求項１９】
テレビジョン信号を受信するテレビジョン受信装置において、太陽電池パネル部が備えられている場合、該太陽電池パネル部にアンテナパターンとして透明なエレメントを備えさせることにより、該太陽電池パネル部がアンテナの全部又は一部として機能することを特徴とするテレビジョン受信装置。
【請求項２０】
請求項１乃至１９のいずれかに記載のテレビジョン受信装置において、当該テレビジョン受信装置が、液晶テレビ又はＥＬ（Ｅｌｅｃｔｒｏ  Ｌｕｍｉｎｅｓｃｅｎｔ  Ｄｉｓｐｌａｙ）テレビ又はＰＤＰ（Ｐｌａｓｍａ  Ｄｉｓｐｌａｙ  Ｐａｎｅｌ）テレビ又はＦＥＤ（Ｆｉｅｌｄ  Ｅｍｍｉｓｉｏｎ  Ｄｉｓｐｌａｙ）テレビ又はＣＲＴ（Ｃａｔｈｏｄｅ  Ｒａｙ  Ｔｕｂｅ）テレビ、あるいは、テレビ機能を備えたＰＣ（Ｐｅｒｓｏｎａｌ  Ｃｏｍｐｕｔｅｒ）又は携帯電話又は携帯端末機器（ＰＤＡ：Ｐｅｒｓｏｎａｌ  Ｄｉｇｉｔａｌ  Ａｓｓｉｓｔａｎｔｓ）であることを特徴とするテレビジョン受信装置。
【発明の詳細な説明】
【技術分野】
【０００１】
本発明は、テレビジョン受信装置に関し、特に、テレビ用のアンテナ機能を搭載したテレビジョン受信装置に関する。また、本発明は、テレビ機能を備えたＰＣ（Ｐｅｒｓｏｎａｌ  Ｃｏｍｐｕｔｅｒ）や携帯電話や携帯端末機器（ＰＤＡ：Ｐｅｒｓｏｎａｌ  Ｄｉｇｉｔａｌ  Ａｓｓｉｓｔａｎｔｓ）等のテレビ受信機能を有する装置についても、同様に適用することができる。
【背景技術】
【０００２】
室内において自由な場所への移動を前提としたポータブルテレビジョン受信装置において、筺体外部（天面など）にロッド型アンテナを搭載したものは、これまでも存在していた。また、テレビジョン受信装置ではないが、特許文献１の特開２００３−２７４４７７号公報「アンテナ内蔵型ヘッドホン及び信号受信装置」には、ヘッドホンのような機器内部にアンテナを装備させたものも提案されている。
【特許文献１】特開２００３−２７４４７７号公報
【発明の開示】
【発明が解決しようとする課題】
【０００３】
しかしながら、前述した従来のような技術では、アンテナとしては専用のアンテナが必要であり、テレビジョン受信装置のその他の各構成機材がアンテナ機能までも兼ね備えるようには構成されていない。逆に言えば、従来技術では、テレビジョン受信装置に内蔵して搭載されたアンテナがあったとしても、該アンテナはアンテナ機能としてしか利用しておらず、該アンテナに対して複数の役割・機能を持たせて、テレビジョン受信装置のその他の構成機材の機能まで兼ねさせるようにしたものではなかった。従って、アンテナ機能を始めとして必要とする各種機能を備えるテレビジョン受信装置を構成する場合に、それぞれの機能に対応する回路や機構を各構成機材として備えさせることが必要となり、装置の低価格化や小型化を図ることが困難になっている。
【０００４】
本発明は、このような実情に鑑みて提案されたものであり、テレビジョン受信装置の内部機材（例えば、液晶パネル、シャーシ部、ベゼル部、内蔵スピーカ、補強板など）、あるいは、テレビジョン受信装置に外部接続する外部接続機材（例えば、壁掛け用アングル、天吊り用ブラケットなどの構造物や外部スピーカなど）が、本来の機能の他に、アンテナとしても機能し、これらの機材を用いて、テレビ信号の受信を可能とすることを目的としている。
【課題を解決するための手段】
【０００５】
前述した目的を達成するために、本発明に係るアンテナ機能を搭載したテレビジョン受信装置は、前述のごとく、テレビジョン受信装置の内部機材あるいはテレビジョン受信装置に接続される外部接続機材がアンテナとしても機能することを特徴としている。また、テレビ信号を受信する受信機本体と映像を表示するパネル表示部とを別筐体として分離して構成している場合、それぞれにアンテナを内蔵させ、ダイバシティアンテナとして機能させることを特徴とする。また、テレビジョン受信装置本体と分離して複数の外部スピーカを用いる場合、複数の外部スピーカに適宜アンテナを内蔵させ、ダイバシティアンテナとして機能させることを特徴とする。
【０００６】
また、受信部の冷却ファンのプロペラ部にアンテナを搭載し、回転速度指定により冷却ファンの回転を制御し、更に、プロペラ部に搭載したアンテナの回転角度を検出する回転制御部と、アンテナ受信信号から、指定した選局周波数帯域の受信感度を測定する受信感度検出部とを備え、指定した選局周波数帯域において、最大の受信感度となるアンテナの回転角度を最適なアンテナ方向として検出することを特徴とする。更に、プロペラ部に搭載したアンテナとは別にメインアンテナを備えて、プロペラ部に搭載したアンテナにより検出された最適なアンテナ方向に該メインアンテナの向きを自動的に調整させることを特徴とする。
【０００７】
以下に、本発明に係るテレビジョン受信装置について更に具体的な技術手段を示す。
第１の技術手段は、テレビジョン信号を受信するテレビジョン受信装置において、映像を表示する表示パネルのシャーシ部にアンテナパターンを形成するエレメントを備えさせることにより、該シャーシ部がアンテナの全部又は一部として機能することを特徴とする。
第２の技術手段は、前記第１の技術手段に記載のテレビジョン受信装置において、前記シャーシ部が非金属性の材料であることを特徴とする。
【０００８】
第３の技術手段は、テレビジョン信号を受信するテレビジョン受信装置において、当該テレビジョン受信装置を持ち運ぶためのキャリングハンドル部が備えられている場合、該キャリングハンドル部にアンテナパターンを形成するエレメントを備えさせることにより、該キャリングハンドル部がアンテナの全部又は一部として機能することを特徴とする。
【０００９】
第４の技術手段は、テレビジョン信号を受信するテレビジョン受信装置において、映像を表示する表示パネルの周辺部にベゼル部が形成されている場合、該ベゼル部にアンテナパターンを形成するエレメントを備えさせることにより、該ベゼル部がアンテナの全部又は一部として機能することを特徴とする。
【００１０】
第５の技術手段は、テレビジョン信号を受信するテレビジョン受信装置において、ロゴや機能説明用の記述がなされたシールを、貼付する筐体表面の位置にアンテナ用の電極板を備え、かつ、該シールにアンテナパターンを形成するエレメントを備えさせることにより、筐体表面の前記電極板上に貼付した該シールがアンテナの全部又は一部として機能することを特徴とする。
【００１１】
第６の技術手段は、テレビジョン信号を受信するテレビジョン受信装置において、当該テレビジョン受信装置本体を支えるスタンド部が備えられている場合、該スタンド部にアンテナパターンを形成するエレメントを備えさせることにより、該スタンド部がアンテナの全部又は一部として機能することを特徴とする。
【００１２】
第７の技術手段は、テレビジョン信号を受信するテレビジョン受信装置において、当該テレビジョン受信装置が壁掛け可能なテレビジョン受信装置である場合、壁掛け用の壁掛け金具部にアンテナパターンを形成するエレメントを備えさせることにより、該壁掛け金具部がアンテナの全部又は一部として機能することを特徴とする。
【００１３】
第８の技術手段は、テレビジョン信号を受信するテレビジョン受信装置において、当該テレビジョン受信装置が天吊り可能なテレビジョン受信装置である場合、天吊り用の天吊り金具部にアンテナパターンを形成するエレメントを備えさせることにより、該天吊り金具部がアンテナの全部又は一部として機能することを特徴とする。
【００１４】
第９の技術手段は、テレビジョン信号を受信するテレビジョン受信装置において、当該テレビジョン受信装置にスピーカが備えられている場合、該スピーカにアンテナパターンを形成するエレメントを備えさせることにより、該スピーカがアンテナの全部又は一部として機能することを特徴とする。
【００１５】
第１０の技術手段は、テレビジョン信号を受信するテレビジョン受信装置において、当該テレビジョン受信装置に備えられたスピーカにスピーカネット部が備えられている場合、該スピーカネット部にアンテナパターンを形成するエレメントを備えさせることにより、該スピーカネット部がアンテナの全部又は一部として機能することを特徴とする。
【００１６】
第１１の技術手段は、テレビジョン信号を受信するテレビジョン受信装置において、表示パネルにおける光の反射を防止する反射よけ部が備えられている場合、該反射よけ部にアンテナパターンを形成するエレメントを備えさせることにより、該反射よけ部がアンテナの全部又は一部として機能することを特徴とする。
【００１７】
第１２の技術手段は、テレビジョン信号を受信するテレビジョン受信装置において、受信部を冷却する冷却ファンが備えられている場合、該冷却ファンのプロペラ部にアンテナパターンを形成するエレメントを備えさせることにより、該冷却ファンがアンテナの全部又は一部として機能することを特徴とする。
【００１８】
第１３の技術手段は、前記第１２の技術手段に記載のテレビジョン受信装置において、指定された回転速度に前記冷却ファンの回転速度を制御し、かつ、前記冷却ファンのプロペラ部に備えられた前記エレメントの回転角度を検出する回転制御部と、前記エレメントが受信した受信信号から、指定した選局周波数帯域の受信感度を測定する受信感度検出部とを備え、前記回転制御部にて検出された回転角度情報と前記受信感度検出部にて測定された前記エレメントの受信感度から、最大の受信感度となる前記エレメントの回転角度を検出して、アンテナの最適な向きを検出することを特徴とする。
【００１９】
第１４の技術手段は、前記第１３の技術手段に記載のテレビジョン受信装置において、テレビ信号をメインに受信するメインアンテナが、前記冷却ファンのプロペラ部に備えられた前記エレメントとは別に備えられている場合、該メインアンテナが回転自在であり指定された向きにまで回転させることが可能に構成されており、最大の受信感度となる前記エレメントの回転角度を検出した際に、検出された前記エレメントの回転角度と同じ角度まで、該メインアンテナの向きを自動的に回転させることを特徴とする。
【００２０】
第１５の技術手段は、テレビジョン信号を受信するテレビジョン受信装置において、当該テレビジョン受信装置が、映像を表示する表示パネル部とテレビ信号を受信する受信部本体とに分離されて構成されている場合、該表示パネル部と該受信部本体とのそれぞれに独立してアンテナパターンを形成するエレメントを備えさせることにより、それぞれの該エレメントをダイバシティアンテナとして機能させることを特徴とする。
【００２１】
第１６の技術手段は、テレビジョン信号を受信するテレビジョン受信装置において、映像を表示する表示パネルの表面にアンテナパターンとして透明な導電性薄膜からなるエレメントを貼付することにより、該エレメントが貼付された該表示パネルがアンテナの全部又は一部として機能することを特徴とする。
【００２２】
第１７の技術手段は、テレビジョン信号を受信するテレビジョン受信装置において、当該テレビジョン受信装置の筐体の背面又は側面に接合して当該テレビジョン受信装置本体を支持する脚部が備えられている場合、該脚部との接合面を補強するための補強板にアンテナパターンを形成するエレメントを備えさせることにより、該補強板がアンテナの全部又は一部として機能することを特徴とする。
【００２３】
第１８の技術手段は、テレビジョン信号を受信するテレビジョン受信装置において、当該テレビジョン受信装置本体と分離されて複数のスピーカが設置されている場合、複数のスピーカそれぞれの全て又は一部に独立してアンテナパターンを形成するエレメントを備えさせることにより、それぞれの該エレメントをダイバシティアンテナとして機能させることを特徴とする。
【００２４】
第１９の技術手段は、テレビジョン信号を受信するテレビジョン受信装置において、太陽電池パネル部が備えられている場合、該太陽電池パネル部にアンテナパターンとして透明なエレメントを備えさせることにより、該太陽電池パネル部がアンテナの全部又は一部として機能することを特徴とする。
【００２５】
第２０の技術手段は、前記第１乃至第１９の技術手段のいずれかに記載のテレビジョン受信装置において、当該テレビジョン受信装置が、液晶テレビ又はＥＬ（Ｅｌｅｃｔｒｏ  Ｌｕｍｉｎｅｓｃｅｎｔ  Ｄｉｓｐｌａｙ）テレビ又はＰＤＰ（Ｐｌａｓｍａ  Ｄｉｓｐｌａｙ  Ｐａｎｅｌ）テレビ又はＦＥＤ（Ｆｉｅｌｄ  Ｅｍｍｉｓｉｏｎ  Ｄｉｓｐｌａｙ）テレビ又はＣＲＴ（Ｃａｔｈｏｄｅ  Ｒａｙ  Ｔｕｂｅ）テレビ、あるいは、テレビ機能を備えたＰＣ（Ｐｅｒｓｏｎａｌ  Ｃｏｍｐｕｔｅｒ）又は携帯電話又は携帯端末機器（ＰＤＡ：Ｐｅｒｓｏｎａｌ  Ｄｉｇｉｔａｌ  Ａｓｓｉｓｔａｎｔｓ）であることを特徴とする。
【発明の効果】
【００２６】
本発明によれば、テレビジョン受信装置の内部機材もしくはテレビジョン受信装置に接続される外部接続機材がアンテナとしても機能することにより、一定の電波環境の下であれば、ユーザは専用のアンテナの有無を意識すること無く、移動先であってもテレビ視聴を行うことができることはもとより、専用のアンテナを別途搭載することによるスペース問題を解消し、小型軽量化を図ることを可能とすると共に、他の機材との機能を兼ねることによるコスト低減効果を得ることができる。
【００２７】
更に、本発明によれば、ユーザがむやみにアンテナの向きを回転させて最適な受信位置を探すような調整をすること無く、アンテナの最適な向きを自動的に検出することができるので、ユーザは最適な向きとして表示部に表示された向きにアンテナの向きを回転させるだけで、最適なアンテナ位置に調整することが可能である。更に、アンテナの向きを最適位置に自動的に調整することも可能であり、ユーザがアンテナの向きを調整する必要が無くなる。
【００２８】
更に、本発明によれば、複数のアンテナを分離して独立に備えさせるように構成することも可能であり、ダイバシティ受信を実施する際に、ダイバシティ受信専用のアンテナを用意する必要が無くなる。
【００２９】
更に、本発明によれば、例えばサラウンドサウンド環境を構成する場合のように、複数のスピーカがそれぞれに分離した位置に配置されている場合、複数のスピーカの全て又は一部に適宜アンテナを備えさせてダイバシティアンテナとして動作させることも可能であり、２つのアンテナを用いる場合よりもダイバシティ効果を更に高めることが可能であり、かつ、ダイバシティ専用のアンテナを複数本使用する必要も無くなる。
【発明を実施するための最良の形態】
【００３０】
以下に、アンテナ機能を搭載した本発明に係るテレビジョン受信装置の一実施形態について、図面を参照しながら説明する。なお、以下の各実施形態においては、アンテナ機能を搭載するようにした本発明に係るテレビジョン受信装置の一例として、液晶テレビを例にとって説明するが、本発明に係るテレビジョン受信装置は、液晶テレビのみに限るものではなく、テレビ用アンテナを搭載可能なものであれば、例えば、ＥＬ（Ｅｌｅｃｔｒｏ  Ｌｕｍｉｎｅｓｃｅｎｔ  Ｄｉｓｐｌａｙ）テレビ、ＰＤＰ（Ｐｌａｓｍａ  Ｄｉｓｐｌａｙ  Ｐａｎｅｌ）テレビ、ＦＥＤ（Ｆｉｅｌｄ  Ｅｍｍｉｓｉｏｎ  Ｄｉｓｐｌａｙ）テレビ、ＣＲＴ（Ｃａｔｈｏｄｅ  Ｒａｙ  Ｔｕｂｅ）テレビ等を含め、如何なるテレビジョン受信装置であってもかまわない。
【００３１】
図１は、本発明の一実施形態に係るテレビジョン受信装置として、液晶パネルのシャーシ部がアンテナとして機能することを特徴とする液晶テレビの構成図であり、テレビジョン受信装置として液晶テレビを表している。図１（Ａ）は液晶テレビの正面図を示しており、液晶パネル１０１の裏面側のシャーシ部１０２により液晶テレビ全体を支えている。図１（Ｂ）は、画像の表示を行う液晶パネルの正面図を示している。図１（Ａ）、（Ｂ）のように、液晶パネル１０１は液晶テレビの内部に搭載されている。
【００３２】
図１のような液晶テレビは、図１には図示していない「液晶素子部」に「バックライト部」「反射板」などの他に、一般には、液晶テレビ全体を支えるために、「金属シャーシ」で構成されている。本発明では、この「金属シャーシ」部分を非金属性の材料例えば耐熱強化された樹脂に置き換えると共に、図１（Ｃ）に示すように、液晶パネル１０１の裏面側のシャーシ部１０２にアンテナパターンとして一対のエレメント１，２を形成する。アンテナパターンの形成方法は、パッケージ基板のようにエッチング法で作成しても良いし、樹脂上に別途金属パネルを貼り合わせるか、シャーシ自体を金属部と樹脂部とによって分割構成することにしても良い。
【００３３】
また、アンテナパターン形状は、図１（Ｃ）には、エレメント１，２に示すように、一対の台形状の金属部が対向して配置される例を示しているが、図１（Ｃ）に示す以外の如何なる形式であってもかまわない。図１（Ｃ）では、エレメント１及び２から信号線１ａ及び２ａが液晶パネル１０１の下部へと伸びて、同軸線と結線されるように形成されている（該同軸線は、受信機のチューナ入力に結線される）。
以上のように、図１の液晶テレビにおいては、液晶パネル１０１のシャーシ部１０２が、全部又は一部のアンテナ機能を兼ね備えたものとして構成される。
【００３４】
図２は、本発明の一実施形態に係るテレビジョン受信装置として、キャリングハンドル部がアンテナとして機能することを特徴とする液晶テレビの構成図であり、テレビジョン受信装置としてキャリングハンドル部を有する液晶テレビを表している。図２（Ａ）は、液晶テレビの裏面側を示すものであり、液晶テレビの裏面にはキャリングハンドル部２０１が搭載されている。搭載されたキャリングハンドル部２０１は、当該液晶テレビを移動させるときに、該キャリングハンドル部２０１を掴んで持ち運ぶことが可能なような強度を有する材質から形成されている。
【００３５】
図２（Ｂ）に示すように、液晶テレビの裏面に搭載されるキャリングハンドル部２０１を、耐熱強化機能のある樹脂に置き換えると共に、アンテナパターンとなるエレメント３  ，４をキャリングハンドル部２０１の両側の支持部に形成する。アンテナパターンの形成方法は、パッケージ基板のように、エッチング法で作成しても良いし、キャリングハンドル部２０１の樹脂上に別途金属パネルを張り合わせるか、キャリングハンドル部２０１自体を金属部と樹脂部とによって分割構成することにしても良い。
【００３６】
また、アンテナパターンの形状は、図２（Ｂ）に示すようなロッド形状以外の如何なる形式であってもかまわない。図２（Ｂ）では、エレメント３及び４から、信号線３ａ及び４ａがキャリングハンドル部２０１の下部へと伸びて、同軸線と結線されるように形成されている（該同軸線は、受信機のチューナ入力に結線される）。
以上のように、図２の液晶テレビにおいては、キャリングハンドル部２０１が、全部又は一部のアンテナ機能を兼ね備えたものとして構成される。
【００３７】
図３は、本発明の一実施形態に係るテレビジョン受信装置として、ベゼル部がアンテナとして機能することを特徴とする液晶テレビの構成図であり、テレビジョン受信装置として液晶テレビを表している。図３（Ａ）の液晶テレビの正面図に示すように、液晶パネル３０１の周辺部を斜面形状に形成しているベゼル部３０２を耐熱強化機能のある樹脂に置き換えると共に、図３（Ｂ）のように、アンテナパターンとなるエレメント５，６をベゼル部３０２の両側にＬ字状、逆Ｌ字状の形状を逆さまにして形成する。アンテナパターンの形成方法は、パッケージ基板のように、エッチング法で作成しても良いし、ベゼル部３０２の樹脂上に別途金属パネルを張り合わせるか、ベゼル部３０２自体を金属部と樹脂部とによって分割構成することにしても良い。
【００３８】
また、アンテナパターン形状は、図３（Ｂ）に示すようなＬ字形状や逆Ｌ字形状以外の如何なる形式であってもかまわない。図３（Ｂ）では、エレメント５及び６から、信号線５ａ及び６ａがベゼル部３０２の下部へと伸びて、同軸線と結線されるように形成されている（該同軸線は、受信機のチューナ入力に結線される）。
以上のように、図３の液晶テレビにおいては、ベゼル部３０２が、全部又は一部のアンテナ機能を兼ね備えたものとして構成される。
【００３９】
図４は、本発明の一実施形態に係るテレビジョン受信装置として、シール状のアンテナを搭載したことを特徴とする液晶テレビの構成図であり、テレビジョン受信装置として液晶テレビを表している。図４（Ａ）の液晶テレビの正面図に示す該液晶テレビの筺体４０１の表面一部分に、図４（Ｂ）に示すように、２つのアンテナ用の電極板４０２，４０３を備えさせ、これらの電極板４０２，４０３はそれぞれ同軸線と結線され、該同軸線は受信機のチューナ入力に結線される。
【００４０】
一般に、テレビジョン受信装置の外観上のデザインや取り扱い上の注意事項や機能説明に関する記述やあるいはロゴなどが印刷されたシールが、テレビジョン受信装置の筐体表面に貼付されるが、図４（Ｂ）に示すように、本実施形態においては、アンテナとして機能するシート状エレメント７からなるアンテナパターンを該シール４０４に形成する。今、シール４０４上に形成されたシート状エレメント７を、図４（Ｃ）に示すように、２つの電極板４０２，４０３に接触させるように筐体４０１に貼付する。この結果、外観デザインや取り扱い上の注意事項や機能説明やあるいはロゴ用としてシール４０４が機能しながら、シート状エレメント７により、スリムで場所をとらないアンテナとして機能することになる。なお、筐体４０１の表面一部に備える電極板４０２，４０３の位置は如何なる位置であってもかまわないし、また、電極板４０２，４０３の形状やアンテナを形成するシート状エレメント７のパターン形状は、図４（Ｂ），（Ｃ）に示すような方形形状以外の如何なる形式であってもかまわない。
以上のように、図４の液晶テレビにおいては、シート状エレメント７を筐体４０１の一部に貼ることにより、全部又は一部のアンテナ機能を兼ね備えたテレビジョン受信装置が構成される。
【００４１】
図５は、本発明の一実施形態に係るテレビジョン受信装置として、スタンド部がアンテナとして機能することを特徴とする液晶テレビの構成図であり、テレビジョン受信装置として液晶テレビを表している。図５（Ａ）の液晶テレビの正面図に示すスタンド部５０１を耐熱強化機能のある樹脂に置き換えて、図５（Ｂ）のように、液晶テレビ本体を支えるスタンド部５０１に、アンテナパターンとなるエレメント９，１０をそれぞれ円弧状に形成する。アンテナパターンの形成方法は、パッケージ基板のように、エッチング法で作成しても良いし、スタンド部５０１の樹脂上に別途金属パネルを張り合わせるか、スタンド部５０１自体を金属部と樹脂部とによって分割構成することにしても良い。
【００４２】
また、アンテナパターン形状は、図５（Ｂ）に示すような円弧形状以外の如何なる形式であってもかまわない。図５（Ｂ）では、エレメント９及び１０から、信号線９ａ及び１０ａがスタンド部５０１の下部へと伸びて、同軸線と結線されるように形成されている（該同軸線は、受信機のチューナ入力に結線される）。
以上のように、図５の液晶テレビにおいては、スタンド部５０１が、全部又は一部のアンテナ機能を兼ね備えたものとして構成される。
【００４３】
図６は、本発明の一実施形態に係るテレビジョン受信装置として、壁掛け金具部がアンテナとして機能することを特徴とする液晶テレビの構成図であり、テレビジョン受信装置として壁掛け可能な液晶テレビを表している。図６（Ａ）の壁掛け可能な液晶テレビの裏面図に示すように、該液晶テレビの裏面には、壁掛け金具部６０１が搭載されている。この壁掛け金具部６０１を耐熱強化機能のある樹脂に置き換えて、図６（Ｂ）に示すように、壁掛け金具部６０１にアンテナパターンとなるエレメント１１，１２をロッド状に形成する。アンテナパターンの形成方法は、パッケージ基板のように、エッチング法で作成しても良いし、壁掛け金具部６０１の樹脂上に別途金属パネルを張り合わせるか、壁掛け金具部６０１自体を金属部と樹脂部とによって分割構成することにしても良い。
【００４４】
また、アンテナパターン形状は、図６（Ｂ）に示すようなロッド形状以外の如何なる形式であってもかまわない。図６（Ｂ）では、エレメント１１及び１２から、信号線１１ａ及び１２ａが壁掛け金具部６０１の下部へと伸びて、同軸線と結線されるように形成されている（該同軸線は、受信機のチューナ入力に結線される）。
以上のように、図６の液晶テレビにおいては、壁掛け金具部６０１が、全部又は一部のアンテナ機能を兼ね備えたものとして構成される。
【００４５】
図７は、本発明の一実施形態に係るテレビジョン受信装置として、天吊り金具部がアンテナとして機能することを特徴とする液晶テレビの構成図であり、テレビジョン受信装置として天吊り可能な液晶テレビを表している。図７（Ａ）の天吊り可能な液晶テレビの裏面図に示すように、該液晶テレビの裏面には、天吊り金具部として天吊りブラケット７０１が搭載されている。この天吊りブラケット７０１を耐熱強化機能のある樹脂に置き換えて、図７（Ｂ）に示すように、天吊りブラケット７０１にアンテナパターンとなるエレメント１３，１４をロッド状に形成する。アンテナパターンの形成方法は、パッケージ基板のように、エッチング法で作成しても良いし、天吊りブラケット７０１の樹脂上に別途金属パネルを張り合わせるか、天吊りブラケット７０１自体を金属部と樹脂部とによって分割構成することにしても良い。
【００４６】
また、アンテナパターン形状は、図７（Ｂ）に示すようなロッド形状以外の如何なる形式であってもかまわない。図７（Ｂ）では、エレメント１３及び１４から、信号線１３ａ及び１４ａが天吊りブラケット７０１の下部へと伸びて、同軸線と結線されるように形成されている（該同軸線は、受信機のチューナ入力に結線される）。
以上のように、図７の液晶テレビにおいては、天吊りブラケット７０１が、全部又は一部のアンテナ機能を兼ね備えたものとして構成される。
【００４７】
図８は、本発明の一実施形態に係るテレビジョン受信装置として、スピーカ部がアンテナとして機能することを特徴とする液晶テレビの構成図であり、テレビジョン受信装置としてスピーカ部を有する液晶テレビを表している。図８（Ａ）の液晶テレビの正面図に示すように、液晶テレビの両側面部に一対のスピーカ８０１，８０２が備えられている。このスピーカ８０１，８０２のいずれかを耐熱強化機能のある樹脂に置き換えて、図８（Ｂ）に示すように、スピーカ８０１，８０２のいずれか（図８（Ｂ）では、スピーカ８０１）にアンテナパターンとなるエレメント１５，１６をロッド状に形成する。アンテナパターンの形成方法は、パッケージ基板のように、エッチング法で作成しても良いし、スピーカ８０１の樹脂上に別途金属パネルを張り合わせるか、スピーカ８０１自体を金属部と樹脂部とによって分割構成することにしても良い。
【００４８】
また、アンテナパターン形状は、図８（Ｂ）に示すようなロッド形状以外の如何なる形式であってもかまわない。図８（Ｂ）では、エレメント１５及び１６から、信号線１５ａ及び１６ａがスピーカ８０１の下部へと伸びて、同軸線と結線されるように形成されている（該同軸線は、受信機のチューナ入力に結線される）。
以上のように、図８の液晶テレビにおいては、スピーカ８０１が、全部又は一部のアンテナ機能を兼ね備えたものとして構成される。
【００４９】
図９は、本発明の一実施形態に係るテレビジョン受信装置として、スピーカネット部がアンテナとして機能することを特徴とする液晶テレビの構成図であり、テレビジョン受信装置としてスピーカにスピーカネット部を有する液晶テレビを表している。図９（Ａ）の液晶テレビの正面図に示すように、液晶テレビの両側面部に備えられた一対のスピーカ９０１，９０２には、それぞれスピーカネット部９０１ａ，９０２ａが備えられている。このスピーカネット部９０１ａ，９０２ａのいずれかを耐熱強化機能のある樹脂に置き換えて、図９（Ｂ）に示すように、スピーカネット部９０１ａ，９０２ａのいずれか（図９（Ｂ）では、スピーカネット部９０１ａ）にアンテナパターンとなるエレメント１７，１８をロッド状に形成する。アンテナパターンの形成方法は、パッケージ基板のように、エッチング法で作成しても良いし、スピーカネット部９０１ａの樹脂上に別途金属パネルを張り合わせるか、スピーカネット部９０１ａ自体を金属部と樹脂部とによって分割構成することにしても良い。
【００５０】
また、アンテナパターン形状は、図９（Ｂ）に示すようなロッド形状以外の如何なる形式であってもかまわない。図９（Ｂ）では、エレメント１７及び１８から、信号線１７ａ及び１８ａがスピーカネット部９０１ａの下部へと伸びて、同軸線と結線されるように形成されている（該同軸線は、受信機のチューナ入力に結線される）。
以上のように、図９の液晶テレビにおいては、スピーカネット部９０１ａが、全部又は一部のアンテナ機能を兼ね備えたものとして構成される。
【００５１】
図１０は、本発明の一実施形態に係るテレビジョン受信装置として、反射よけ部がアンテナとして機能することを特徴がアンテナとして機能することを特徴とする液晶テレビの構成図であり、テレビジョン受信装置として、液晶パネル面での光の反射を防ぐための反射よけ部を有する液晶テレビを表している。図１０（Ａ）の液晶テレビの斜視図に示すように、液晶テレビの液晶パネル１００１の上部に、液晶パネル１００１における光の映り込みを防ぐために、即ち、光の反射を防ぐために、反射よけ部１００２が備えられている。この反射よけ部１００２を耐熱強化機能のある樹脂に置き換えて、図１０（Ｂ）に示すように、反射よけ部１００２にアンテナパターンとなるエレメント１９，２０をコの字状、逆コの字状に形成する。アンテナパターンの形成方法は、パッケージ基板のように、エッチング法で作成しても良いし、反射よけ部１００２の樹脂上に別途金属パネルを張り合わせるか、反射よけ部１００２自体を金属部と樹脂部とによって分割構成することにしても良い。
【００５２】
また、アンテナパターン形状は、図１０（Ｂ）に示すようなコの字状や逆コの字状以外の如何なる形式であってもかまわない。図１０（Ｂ）では、エレメント１９及び２０から、信号線１９ａ及び２０ａが反射よけ部１００２の下部へと伸びて、同軸線と結線されるように形成されている（該同軸線は、受信機のチューナ入力に結線される）。
以上のように、図１０の液晶テレビにおいては、光の反射を防ぐ反射よけ部１００２が、全部又は一部のアンテナ機能を兼ね備えたものとして構成される。
【００５３】
図１１は、本発明の一実施形態に係るテレビジョン受信装置として、受信部の冷却ファンがより最適なアンテナ方向を検出することを特徴とする液晶テレビの構成図であり、液晶テレビの受信部を冷却するための冷却ファンのプロペラ部がアンテナの全部または一部として機能するための機能ブロックを中心に示している。図１１（Ｂ）の冷却ファン部に示すように、受信部の冷却ファン１１０５は、該冷却ファン１１０５のプロペラ部１１０５ａに、別に設けられているメインアンテナ２１の向きを調整することを可能とするために、サブアンテナ２２を搭載している。ここで、サブアンテナ２２は冷却ファン１１０５のプロペラ部１１０５ａが回転すると同じ回転速度で回転するものであり、冷却ファン１１０５の回転に応じて該サブアンテナ２２の向きも変化するように設置されている。
【００５４】
一方、図１１（Ａ）のアンテナ方向検出回路ブロック部に示すように、サブアンテナ２２で受信したテレビ信号は、受信感度検出部１１０３に送信されるが、受信感度検出部１１０３においては、受信したテレビ信号の中から、ＣＰＵ１１０１から指定された選局周波数帯域の受信感度（受信電力）を検出する機能を有する。また、回転制御部１１０４では、冷却ファン１１０５に設置されたサブアンテナ２２がどの位置まで回転しているかを示す回転角度情報を検出する機能を有する。冷却ファン１１０５は、通常は、受信部を冷却するために高速にて回転しているが、サブアンテナ２２の向きの最適位置を検出する場合には、以下のように動作する。
【００５５】
ＣＰＵ１１０１が、受信感度検出部１１０３に対して、選局周波数帯域を指定すると共に、アンテナ方向検出モードの指定を行う。アンテナ方向検出モードの指定を受け取った受信感度検出部１１０３は、ＣＰＵ１１０１から指定された選局周波数帯域におけるサブアンテナ２２からの受信感度を計測するように動作する。更に、受信感度検出部１１０３は、回転制御部１１０４に対して、冷却ファン１１０５の回転を低速で回転するモードに設定することにより、冷却ファン１１０５は、プロペラ部１１０５ａに搭載されているサブアンテナ２２と共に、低速で回転するようになる。受信感度検出部１１０３においては、サブアンテナ２２で選局受信したアンテナ受信感度が最大となる回転角度を検出するために、受信感度とその時のサブアンテナ２２の回転位置を示す回転制御部１１０４からの回転角度情報とをＣＰＵ１１０１に定期的に通知する。ＣＰＵ１１０１は、受信強度が或る時間の間で平均して最大となるサブアンテナ２２の回転角度を計算するようにし、計算結果を表示部１１０２に表示する。
【００５６】
表示部１１０２への表示の方法は、グラフィカルな表示とし、サブアンテナ２２の回転角度即ち向きが液晶パネルの前面に対してどの向きにあり、別に設けられているメインアンテナ２１の向きをどの向きに調整すべきかが容易に識別できるような表示とする。この情報を基に、ユーザは、メインアンテナ２１の向きを表示部１１０２に表示されているサブアンテナ２２と同じ向きに調整する。なお、メインアンテナ２１の向きを調整している際に、受信感度検出部１１０３にてメインアンテナ２１の受信感度を検出してＣＰＵ１１０１に対して通知し、表示部１１０２にその結果を表示することにより、メインアンテナ２１の向きの調整を容易化することもできる。
【００５７】
前述した例では、受信感度検出部１１０３及びＣＰＵ１１０１において、或る時間の間平均して受信感度が最大となる回転角度情報を計算するようにしているが、受信感度検出部１１０３では、ＣＰＵ１１０１からの指示がある時にのみ回転角度情報と受信強度の情報とを検出するようにしても良い。また、回転制御部１１０４に対して、低速や高速の回転速度に関するモードを指定するのでは無く、サブアンテナ２２の回転角度を指定するようにして、指定された回転角度に冷却ファン１１０５のプロペラ部１１０５ａの位置を回転させることによりサブアンテナ２２の位置を調整するようにしても良い。
【００５８】
また、前述した例では、ユーザが表示部１１０２の情報に基づいてメインアンテナ２１の向きを調整していたが、メインアンテナ２１の向きを自動的に調整可能とする機能を有している場合は、ユーザの手をわずらわせることなく、視聴中に自動的に最適位置にメインアンテナ２１の向きを調整することが可能である。この場合、メインアンテナ２１は、冷却ファン１１０５のプロペラ部１１０５ａに設置したサブアンテナ２２とは別に設けられているが、ＣＰＵ１１０１からの回転角度指定を受けて任意の角度まで回転させることが可能な回転自在の状態に構成されていて、サブアンテナ２２と同じ回転角度を指定することにより、メインアンテナ２１の向きを最適な状態にまで回転させることができる。
【００５９】
即ち、メインアンテナ２１は、サブアンテナ２２の受信感度最大の角度情報として検出された角度位置にまで回転調整できる機能を有し、ＣＰＵ１１０１からの指定により、メインアンテナ２１の向きを調整できるようにしている。メインアンテナ２１の向きを自動調整するタイミングとしては、受信状態が悪くなり、映像が正しく表示できなくなったことが検知された際に、自動的に調整することも可能である。また、チャンネルサーチ時に、冷却ファン１１０５に設定されたサブアンテナ２２を用いて、チャンネル毎にメインアンテナ２１の最適位置を予め測定して、記憶しておき、次回のチャンネル選局時には、該チャンネルに対応したメインアンテナ２１の最適位置に向きを調整設定するようにすることも可能である。
【００６０】
なお、前述した実施例では、１台の冷却ファン１１０５のみに備えられたサブアンテナ２２によりメインアンテナ２１の最適位置を検出していたが、複数のサブアンテナ２２をそれぞれ独立に備えた複数の冷却ファン１１０５を互いに異なる方向に配置することにより、例えばサブアンテナ２２を備えた一台の冷却ファンは水平方向、サブアンテナ２２を備えたもう一台は垂直方向に配置することにより、３次元でのメインアンテナ２１の最適な方向を検出することも可能である。また、メインアンテナ２１も一方向だけではなく、水平方向や垂直方向への回転制御も可能とし、３次元でのメインアンテナ２１の最適な方向に自動的に調整できるようにしても良い。
以上のように、図１１の液晶テレビにおいては、冷却ファン１１０５が、全部又は一部のアンテナ機能を兼ね備えたものとして構成される。
【００６１】
図１２は、本発明の一実施形態に係るテレビジョン受信装置として、液晶パネル部と受信部本体とに分離されたそれぞれに独立したアンテナを搭載し、それらのアンテナをダイバシティアンテナとして使用することを特徴とする液晶テレビの構成図であり、映像を液晶画面に表示する表示部を備えた液晶パネル部（図１２（Ａ））とテレビ信号を受信して処理するチューナ等の受信機能を備えた受信部本体（図１２（Ｂ））とが分離された液晶テレビを示している。図１２（Ａ），（Ｂ）に示すように、液晶パネル１２０２を実装した液晶パネル部１２０１と、チューナ等からなる受信部本体１２０３とのそれぞれに独立してアンテナパターンを形成するエレメント２３，２４とエレメント２５，２６とを搭載している。液晶パネル部１２０１に搭載したエレメント２３，２４が受信したテレビ信号は、例えば、液晶パネル部１２０１のエレメント２３，２４から受信部本体１２０３側に実装している受信部にアンテナ線を接続することにより、受信部本体１２０３の受信部側に送信される。
【００６２】
受信部本体１２０３側の受信部においては、液晶パネル部１２０１側に搭載したアンテナパターンのエレメント２３，２４と、受信部本体１２０３側のアンテナパターンのエレメント２５，２６とを、ダイバシティアンテナとして使用する。前述の例では、液晶パネル部１２０１のエレメント２３，２４の受信信号を受信部本体１２０３側の受信部に送信して、受信部にてダイバシティ制御を行うようにした。しかし、逆に、液晶パネル部１２０１側にダイバシティ制御部を備えるようにして、受信部本体１２０３側のエレメント２５，２６の受信信号を、液晶パネル部１２０１側のダイバシティ制御部に送信するようにしても良い。ここで、これらのダイバシティ制御部では、各エレメント２３〜２６の受信信号の電力レベル等を検出し、適宜、最適な受信状態となるように、使用するアンテナを選択する等の動作を行う。
【００６３】
図１３は、本発明の一実施形態に係るテレビジョン受信装置として、液晶パネルの表面に透明アンテナを搭載したことを特徴とする液晶テレビの構成図であり、液晶テレビの正面図を示している。図１３に示すように、液晶パネル１３０１の表面にアンテナパターンを形成する透明な導電性薄膜のエレメント２７，２８を取り付けている。即ち、図１３においては、液晶パネル１３０１の表面に貼り付ける透明の導電性薄膜を一対の台形形状のアンテナパターンとして形成して、アンテナとして使用する。
【００６４】
また、アンテナパターン形状は、図１３に示すような台形形状以外の如何なる形式であってもかまわない。また、アンテナは液晶パネル１３０１の前面に取り付けられるような、ビデオフィルタのような形状として、かつ、着脱可能とすることも可能である。図１３では、エレメント２７及び２８から、信号線２７ａ及び２８ａが液晶パネル１３０１の下部へと伸びて、同軸線と結線されるように形成されている（該同軸線は、受信機のチューナ入力に結線される）。
以上のように、図１３の液晶テレビにおいては、表面に導電性薄膜が貼り付けられた液晶パネル１３０１が、全部又は一部のアンテナ機能を兼ね備えたものとして構成される。
【００６５】
図１４は、本発明の一実施形態に係るテレビジョン受信装置として、筐体の補強板がアンテナとして機能することを特徴とする液晶テレビの構成図であり、液晶テレビの背面部を示している。図１４に示すように、液晶テレビの背面部（又は、側面部であっても良い）において、本体の筐体１４０１と脚部１４０２とを接合する部分を補強するための筐体の補強板１４０３が設けられている場合がある。図１４においては、この補強板１４０３を、アンテナの全部または一部として機能するように、アンテナパターンとなるエレメント２９が形成されている。
【００６６】
アンテナパターン形状となる補強板１４０３の形状としては、図１４に示すような形状以外の如何なる形式であってもかまわない。また、アンテナパターンとなるエレメント２９を形成する補強板１４０３については、他の用途に用いられている補強版を利用することも可能であり、例えば、スピーカを支えるための補強板等をアンテナとして使用することも可能である。
以上のように、図１４の液晶テレビにおいては、筐体の補強板１４０３が、全部又は一部のアンテナ機能を兼ね備えたものとして構成される。
【００６７】
図１５は、本発明の一実施形態に係るテレビジョン受信装置として、複数のスピーカにそれぞれ独立したアンテナを搭載し、それら複数のアンテナをダイバシティアンテナとして使用することを特徴とする液晶テレビの構成図であり、フロントスピーカ１５０２，１５０３が２台、リアスピーカ１５０４，１５０５が２台、それぞれ、液晶テレビ本体１５０１とは分離して別々の位置に設置されて、サラウンドサウンド環境が構成されている例を示している。ここで、フロントスピーカ１５０２，１５０３とリアスピーカ１５０４，１５０５とのそれぞれには、アンテナパターンを形成するロッド状のエレメント３１，３２、エレメント３３，３４とエレメント３５，３６、エレメント３７，３８を対にして内蔵させ、それぞれのスピーカに内蔵された複数のアンテナを使用して、ダイバシティ受信を行うことが可能である。
【００６８】
それぞれのスピーカのアンテナで受信したテレビ信号は、信号線３１ａ，３２ａ、信号線３３ａ，３４ａ、信号線３５ａ，３６ａ、信号線３７ａ，３８ａを介して接続されたアンテナ線１５０２ａ，１５０３ａ，１５０４ａ，１５０５ａにより液晶テレビ本体１５０１に送信され、液晶テレビ本体１５０１に受信部として実装されているダイバシティ制御部によりダイバシティ動作を行う。
【００６９】
なお、サラウンドサウンド環境として、スピーカにサブウーハ等がある場合、センタスピーカがある場合等の各種の形式が存在している。図１５のようなスピーカ構成に限らず、他の形式のスピーカ構成の場合であっても、同様に、複数のスピーカそれぞれの全て又は一部に適宜アンテナを実装することが可能である。
２つに限ることなく複数のスピーカの全て又は一部に適宜アンテナを備えさせてダイバシティアンテナとして動作させることにより、２つのアンテナを用いる場合よりもダイバシティ効果を更に高めることが可能であり、かつ、ダイバシティ専用のアンテナを複数本使用する必要も無くなる。
【００７０】
図１６は、本発明の一実施形態に係るテレビジョン受信装置として、太陽電池パネルがアンテナの全部または一部として機能することを特徴とする液晶テレビの構成図であり、液晶パネル部１６０１の上部に太陽光により充電する太陽電池パネル部１６０２を備えている例を示している。ここで、図１６の液晶テレビにおいては、太陽電池パネル部１６０２にアンテナパターンを形成する透明エレメント３９が内蔵されている。太陽光をそのまま透過させる透明エレメント３９であるので、太陽光を遮光することなく、太陽光は、太陽電池パネル部１６０２のソーラーセルに到達し、太陽電池としての機能に影響を及ぼすことは無い。
【００７１】
太陽電池パネル部１６０２の設置位置のみならず、太陽電池パネル部１６０２の形状及びアンテナパターンとなる透明エレメント３９の形状は、図１６に示すような形状以外の如何なる形式であってもかまわない。図１６に示すように、液晶テレビ本体部にアンテナを設置するスペースが無い場合等であっても、太陽電池パネル部１６０２のスペースを利用してアンテナパターン用の透明エレメント３９を設置することができる。
以上のように、図１６の液晶テレビにおいては、太陽電池パネル部１６０２が、全部又は一部のアンテナ機能を兼ね備えたものとして構成される。
【００７２】
以上に説明した各実施例においては、本発明に係るテレビジョン受信装置として液晶テレビを例にとって説明したが、前述したように、液晶テレビに限るものではなく、ＥＬテレビ、ＰＤＰテレビ、ＦＥＤテレビ、ＣＲＴテレビ等であっても、テレビ用のアンテナ機能を搭載したテレビジョン受信装置として提供することができる。また、ＰＣ（Ｐｅｒｓｏｎａｌ  Ｃｏｍｐｕｔｅｒ）、携帯電話、携帯端末機器（ＰＤＡ）等のようなテレビ機能を備えた様々な装置であっても、本発明に係るテレビジョン受信装置の場合と同様に、テレビ用アンテナ機能を搭載した装置として提供することも可能である。
【図面の簡単な説明】
【００７３】
【図１】本発明の一実施形態に係るテレビジョン受信装置として、液晶パネルのシャーシ部がアンテナとして機能することを特徴とする液晶テレビの構成図である。
【図２】本発明の一実施形態に係るテレビジョン受信装置として、キャリングハンドル部がアンテナとして機能することを特徴とする液晶テレビの構成図である。
【図３】本発明の一実施形態に係るテレビジョン受信装置として、ベゼル部がアンテナとして機能することを特徴とする液晶テレビの構成図である。
【図４】本発明の一実施形態に係るテレビジョン受信装置として、シール状のアンテナを搭載したことを特徴とする液晶テレビの構成図である。
【図５】本発明の一実施形態に係るテレビジョン受信装置として、スタンド部がアンテナとして機能することを特徴とする液晶テレビの構成図である。
【図６】本発明の一実施形態に係るテレビジョン受信装置として、壁掛け金具部がアンテナとして機能することを特徴とする液晶テレビの構成図である。
【図７】本発明の一実施形態に係るテレビジョン受信装置として、天吊り金具部がアンテナとして機能することを特徴とする液晶テレビの構成図である。
【図８】本発明の一実施形態に係るテレビジョン受信装置として、スピーカ部がアンテナとして機能することを特徴とする液晶テレビの構成図である
【図９】本発明の一実施形態に係るテレビジョン受信装置として、スピーカネット部がアンテナとして機能することを特徴とする液晶テレビの構成図である。
【図１０】本発明の一実施形態に係るテレビジョン受信装置として、反射よけ部がアンテナとして機能することを特徴とする液晶テレビの構成図である。
【図１１】本発明の一実施形態に係るテレビジョン受信装置として、受信部の冷却ファンがより最適なアンテナ方向を検出することを特徴とする液晶テレビの構成図である。
【図１２】本発明の一実施形態に係るテレビジョン受信装置として、液晶パネル部と受信部本体とに分離されたそれぞれに独立したアンテナを搭載し、それらのアンテナをダイバシティアンナとして使用することを特徴とする液晶テレビの構成図である。
【図１３】本発明の一実施形態に係るテレビジョン受信装置として、液晶パネルの表面に透明アンテナを搭載したことを特徴とする液晶テレビの構成図である。
【図１４】本発明の一実施形態に係るテレビジョン受信装置として、筐体の補強板がアンテナとして機能することを特徴とする液晶テレビの構成図である。
【図１５】本発明の一実施形態に係るテレビジョン受信装置として、複数のスピーカにそれぞれ独立したアンテナを搭載し、それら複数のアンテナをダイバシティアンテナとして使用することを特徴とする液晶テレビの構成図である。
【図１６】本発明の一実施形態に係るテレビジョン受信装置として、太陽電池パネルがアンテナの全部または一部として機能することを特徴とする液晶テレビの構成図である。
【符号の説明】
【００７４】
１，２，３，４，５，６…エレメント、１ａ，２ａ，３ａ，４ａ，５ａ，６ａ…信号線、７…シート状エレメント、９，１０，１１，１２，１３，１４，１５，１６，１７，１８，１９，２０…エレメント、９ａ，１０ａ，１１ａ，１２ａ，１３ａ，１４ａ，１５ａ，１６ａ，１７ａ，１８ａ，１９ａ，２０ａ…信号線、２１…メインアンテナ、２２…サブアンテナ、２３，２４，２５，２６，２７，２８…エレメント、２７ａ，２８ａ…信号線、２９，３１，３２，３３，３４，３５，３６，３７，３８…エレメント、３１ａ，３２ａ，３３ａ，３４ａ，３５ａ，３６ａ，３７ａ，３８ａ…信号線、３９…透明エレメント、１０１…液晶パネル、１０２…シャーシ部、２０１…キャリングハンドル部、３０１…液晶パネル、３０２…ベゼル部、４０１…筺体、４０２，４０３…電極板、４０４…シール、５０１…スタンド部、６０１…壁掛け金具部、７０１…天吊りブラケット、８０１，８０２，９０１，９０２…スピーカ、９０１ａ，９０２ａ…スピーカネット部、１００１…液晶パネル、１００２…反射よけ部、１１０１…ＣＰＵ、１１０２…表示部、１１０３…受信感度検出部、１１０４…回転制御部、１１０５…冷却ファン、１１０５ａ…プロペラ部、１２０１…液晶パネル部、１２０２…液晶パネル、１２０３…受信部本体、１３０１…液晶パネル、１４０１…筐体、１４０２…脚部、１４０３…補強板、１５０１…液晶テレビ本体、１５０２，１５０３…フロントスピーカ、１５０４，１５０５…リアスピーカ、１５０２ａ，１５０３ａ，１５０４ａ，１５０５ａ…アンテナ線、１６０１…液晶パネル部、１６０２…太陽電池パネル部。
【図１】
2005295135.tif 000003
【図２】
2005295135.tif 000004
【図３】
2005295135.tif 000005
【図４】
2005295135.tif 000006
【図５】
2005295135.tif 000007
【図６】
2005295135.tif 000008
【図７】
2005295135.tif 000009
【図８】
2005295135.tif 000010
【図９】
2005295135.tif 000011
【図１０】
2005295135.tif 000012
【図１１】
2005295135.tif 000013
【図１２】
2005295135.tif 000014
【図１３】
2005295135.tif 000015
【図１４】
2005295135.tif 000016
【図１５】
2005295135.tif 000017
【図１６】
2005295135.tif 000018